(57)【要約】【課題】ＬＥＤの個数を減らしても光ムラを抑えることができるＬＥＤ照明式看板装置を提供する。【解決手段】ＬＥＤ照明式看板装置１は、箱型看板２と、４本のＬＥＤ装置３とを備えている。右壁２３の内面２３ａには、２本のＬＥＤ装置３が上下に延設され、前壁２１の内面２１ａと後壁２２の内面２２ａとへ向けて配置されている。また、左壁２４の内面２４ａには、２本のＬＥＤ装置３が上下に延設され、前壁２１の内面２１ａと後壁２２の内面２２ａとへ向けて配置されている。そして、左右壁２３、２４において前壁２１側に配置されているＬＥＤ装置３、３から前壁２１の内面２１ａの中間位置２１ｐまでの距離ｄと、後壁２２側のＬＥＤ装置３、３から後壁２２の内面２２ａの中間位置２２ｐまでの距離ｄが同じ距離に設定されている。【選択図】図７
2011227352.tif 000002
【特許請求の範囲】
【請求項１】
箱型看板内からＬＥＤを用いて前壁と後壁を照らすＬＥＤ照明式看板装置において、
前記箱型看板の左右壁の内面の上下方向または上下壁の内面の左右方向に前記ＬＥＤを前記前壁と前記後壁とへ向けて並設し、双方の内面で前記前壁へ向けて並設されたＬＥＤから前記前壁の内面の中間位置までの距離と、前記後壁へ向けて並設されたＬＥＤから前記後壁の内面の中間位置までの距離とを同じ距離に設定したことを特徴とするＬＥＤ照明式看板装置。
【請求項２】
請求項１に記載のＬＥＤ照明式看板装置において、
前記ＬＥＤを棒状の保持部の長さ方向に並設してＬＥＤ装置を形成し、前記双方の内面に取付部を設け、この取付部に一対の斜面を前記前後壁の内面に向けて形成し、各斜面に前記ＬＥＤ装置を傾斜方向と直交する方向に設けたことを特徴とするＬＥＤ照明式看板装置。
【請求項３】
請求項２に記載のＬＥＤ照明式看板装置において、
前記取付部の双方の斜面に、前記ＬＥＤ装置を前記傾斜方向と直交する方向で着脱可能に固定するための装着部を設けたことを特徴とするＬＥＤ照明式看板装置。
【発明の詳細な説明】
【技術分野】
【０００１】
本件発明は、ＬＥＤを用いた看板装置に関する。
【背景技術】
【０００２】
従来より、広告等を表示するために照明式看板装置が使用されている。この照明式看板装置は、箱型看板の両面（前後壁）に表示内容を設けて、箱型看板の内部から光源を使用して前後壁を照らすことにより表示内容を表示するものである。
【０００３】
具体的な照明式看板装置としては、蛍光照明式看板装置が知られている（特許文献１参照）。この蛍光式看板装置は、箱型看板の内部に多数の蛍光管が上下に一定間隔に配置されている。しかし、この蛍光式看板装置は蛍光管を使用しているために消費電力が大きく、寿命も短い。そこで、最近では、ＬＥＤ照明式看板装置が使用されている。
【０００４】
図８は、従来のＬＥＤ照明式看板装置１０１の斜視図である。なお、このＬＥＤ照明式看板装置１０１では、内部を見やすくするために前壁の一部を省いている。このＬＥＤ照明式看板装置１０１は、箱型看板１０２の内部の中心部に仕切板１０３が垂直に固定されている。仕切板１０３の両面にはＬＥＤ１００が縦横に並列して配置されている。このＬＥＤ照明式看板装置１０１ではＬＥＤ１００を使用したことにより、蛍光照明式看板装置に比べて寿命も長くなっている。
【先行技術文献】
【特許文献】
【０００５】
【特許文献１】特開平８−８３０５４号公報
【発明の概要】
【発明が解決しようとする課題】
【０００６】
しかしながら、従来のＬＥＤ照明式看板装置１０１は蛍光管に比べてＬＥＤ１００の単価が高いことから、蛍光照明式看板装置よりも製造コストがかかる。そこで、ＬＥＤ１００の個数を減らすことが考えられる。しかし、その場合には光ムラが生じてしまい、表示内容を明瞭に表示できない。
【０００７】
本件発明は、かかる従来の課題に鑑みてなされたものであり、ＬＥＤの個数を減らしても光ムラを抑えることができるＬＥＤ照明式看板装置を提供することを目的とする。
【課題を解決するための手段】
【０００８】
前記課題を解決するために本件発明は、
箱型看板内からＬＥＤを用いて前壁と後壁を照らすＬＥＤ照明式看板装置において、
前記箱型看板の左右壁の内面の上下方向または上下壁の内面の左右方向に前記ＬＥＤを前記前壁と前記後壁とへ向けて並設し、双方の内面で前記前壁へ向けて並設されたＬＥＤから前記前壁の内面の中間位置までの距離と、前記後壁へ向けて並設されたＬＥＤから前記後壁の内面の中間位置までの距離とを同じ距離に設定したことを特徴としている。
【０００９】
ここで、ＬＥＤを棒状の保持部の長さ方向に並設してＬＥＤ装置を形成しても良い。この場合には双方の内面に取付部を設け、この取付部に一対の斜面を前後壁の内面に向けて形成し、各斜面にＬＥＤ装置を傾斜方向と直交する方向に設けることが好ましい。
【００１０】
さらに、取付部の双方の斜面には、ＬＥＤ装置を傾斜方向と直交する方向で着脱可能に固定するための装着部を設けても良い。
【発明の効果】
【００１１】
本件発明のＬＥＤ照明式看板装置では、箱型看板の左右壁または上下壁の内面にＬＥＤを並設し、双方のＬＥＤから前後壁の内面の中間部分までの距離を同じ距離に設定した。これにより、駆動時には、双方のＬＥＤから発せられる照明光の中心軸が前後壁の内面の中間位置で交差する。したがって、箱型看板内の中心にＬＥＤを配置する場合に比べてＬＥＤの個数を減らして前後壁を十分に照らすことが可能になる。よって、本件発明のＬＥＤ照明式看板装置は、ＬＥＤの個数を減らしても光ムラを抑えることができる。
【図面の簡単な説明】
【００１２】
【図１】本件発明の一実施の形態のＬＥＤ照明式看板装置の斜視図である。
【図２】同実施の形態のＬＥＤ照明式看板装置内の右壁上部を示す図である。
【図３】同実施の形態の装着部の斜視図である。
【図４】同実施の形態のＬＥＤ装置の平面図である。
【図５】図４の断面図である。
【図６】同実施の形態においてＬＥＤ装置が装着部に固定された状態を示す断面図である。
【図７】（ａ）は同実施の形態のＬＥＤ照明式看板装置の横断面図、（ｂ）は（ａ）の取付部の拡大図、（ｃ）は（ａ）のＬＥＤ装置の拡大図である。
【図８】従来のＬＥＤ照明式看板装置の斜視図である。
【発明を実施するための形態】
【００１３】
以下、本件発明の実施の形態を図にしたがって説明する。
【００１４】
図１は、本件発明の一実施の形態を示すＬＥＤ照明式看板装置１の斜視図である。このＬＥＤ照明式看板装置１は、箱型看板２と、４本のＬＥＤ装置３とを備えている。以下に、箱型看板２とＬＥＤ装置３を詳しく説明する。
【００１５】
箱型看板２：
箱型看板２とは、箱状に形成された看板のことである。図１では、ＬＥＤ装置３の設置状態がわかるように上壁を省いている。この箱型看板２は、一般的に前壁２１と後壁２２が合成樹脂で形成されており、その他の部分は金属で形成されている。前壁２１と後壁２２は、表示内容が設定される部分である。前壁２１と後壁２２は、透光性の素材を用いて形成されている。
【００１６】
箱型看板２の右壁２３と左壁２４は、４本のＬＥＤ装置３が設置される部分である。右壁２３と左壁２４は、非透光性の素材を用いて形成されている。左壁２４の下部には電源の挿入孔２４ｈが設けられている。また、右壁２３の内面２３ａと左壁２４の内面２４ａには、それぞれ取付部４が設けられている。
【００１７】
取付部４は山形状の部材であり、一対の傾斜部４１、４１を備えている。双方の傾斜部４１、４１は、前壁２１の内面２１ａと後壁２２の内面２２ａへ向けられている。なお、取付部４の先端部の形状については、本実施の形態のような突出状の他に、平面状、凹型状でも良い。
【００１８】
図２に示すように、双方の傾斜部４１、４１の下端部４１ａ、４１ａは水平に屈曲されている。この下端部４１ａ、４１ａは、ビス１０等の固定具により右壁２３（左壁２４）の内面２３ａ（内面２４ａ）に固定されている。
【００１９】
双方の傾斜部４１、４１の表面（斜面）には、それぞれ装着部５が設けられている。この装着部５は、通常は金属製（鉄あるいはステンレス）である。なお、装着部５は、合成樹脂製でも良い。そして、この装着部５は、傾斜部４１の傾斜方向と直交する方向、言い換えると、右壁２３（左壁２４）の内面２３ａ（内面２４ａ）の上下方向に延びて形成されている。
【００２０】
装着部５を具体的に説明すると、図３に示すように断面が略Ｃ状に形成されている。装着部５の左右側部５１、５１の間には嵌合空間５ｓが形成されている。左右側部５１、５１の先端側部５２、５２は外側へ折り曲げられている。また、装着部５の底部５３は、ビス１０等の固定具により傾斜部４１の表面に固定されている。
【００２１】
ＬＥＤ装置３：
図１に示すように４本のＬＥＤ装置３は、箱型看板２の前壁２１と後壁２２とを照らすものである。４本のＬＥＤ装置３は、２本のＬＥＤ装置３を一組として右壁２３と左壁２４の双方の装着部５、５に着脱可能に固定されている。ここでは、まず、このＬＥＤ装置３の構成について説明する。ＬＥＤ装置３は、図４に示すように、保持部３１、ＬＥＤ基板３２、ＬＥＤ１００、封止材３３を備えている。
【００２２】
保持部３１は、アルミ等の金属によって棒状に形成されている。また、図５に示すように保持部３１は略コ字状に形成されている。
【００２３】
保持部３１は、底壁３１１と、左右壁３１２、３１２とを備えている。左右壁３１２、３１２は、底壁３１１の左右側に形成されている。左右壁３１２、３１２の外面の下部には、それぞれ嵌合溝３１２ａが保持部３１の長さ方向に延びて形成されている。左右壁３１２、３１２の内面の上部には、それぞれ突条３１２ｂが保持部３１の長さ方向に延びて形成されている。
【００２４】
左右壁３１２、３１２の下部の間には設置空間が形成されている。この設置空間には、所定数のＬＥＤ基板３２が保持部３１の長さ方向に並設されている。各ＬＥＤ基板３２には、所定数のＬＥＤ１００が配置されている。また、左右壁３１２、３１２の上部の間には封止空間が形成されている。この封止空間には、透明の封止材３３が充填されている。この封止材３３としてはエポキシ樹脂が使用されている。
【００２５】
図６に示すようにＬＥＤ装置３は、装着部５の嵌合空間５ｓに嵌め込まれている。具体的には、保持部３１の嵌合溝３１２ａが、装着部５の左右側部５１、５１の折り曲げ部分５１ａ、５１ａに挟持されている。また、装着部５は、上記で説明したように通常は金属製（鉄あるいはステンレス）、あるいは合成樹脂製であるが、これらの弾性を利用してＬＥＤ装置３が抜けるようになっている。
【００２６】
このようにして４本のＬＥＤ装置３は各装着部５に固定されると、図１に示すように、右壁２３の内面２３ａには、２本のＬＥＤ装置３が上下に延設され、前壁２１の内面２１ａと後壁２２の内面２２ａとへ向けて配置される。また、左壁２４の内面２４ａには、２本のＬＥＤ装置３が上下に延設され、前壁２１の内面２１ａと後壁２２の内面２２ａとへ向けて配置される。
【００２７】
そして、図７（ａ）に示すように、左右壁２３、２４において前壁２１側に配置されているＬＥＤ装置３、３から前壁２１の内面２１ａの中間位置２１ｐまでの距離ｄと、後壁２２側のＬＥＤ装置３、３から後壁２２の内面２２ａの中間位置２２ｐまでの距離ｄが同じ距離に設定されている。
【００２８】
したがって、駆動時には、前壁２１側のＬＥＤ装置３、３の照明光Ｌ、Ｌの中心軸Ｌａ、Ｌａは、前壁２１の内面２１ａの中間位置２１ｐで交差する。これにより、右壁２３のＬＥＤ装置３は前壁２１の右半分を照らし、左壁２４のＬＥＤ装置３は前壁２１の左半分を照らすことになる。
【００２９】
また、左右壁２３、２４の後壁２２側のＬＥＤ装置３、３の照明光Ｌ、Ｌの中心軸Ｌａ、Ｌａは、後壁２２の内面２２ａの中間位置２２ｐで交差する。これにより、右壁２３のＬＥＤ装置３は後壁２２の右半分を照らし、左壁２４のＬＥＤ装置３は後壁２２の左半分を照らすことになる。
【００３０】
このように本実施の形態のＬＥＤ照明式看板装置１は、箱型看板内の中心にＬＥＤを配置する場合に比べて、ＬＥＤ１００の個数を減らして前後壁２１、２２を十分に照らすことが可能になる。よって、本実施の形態のＬＥＤ照明式看板装置１は、ＬＥＤ１００の個数を減らしても光ムラを抑えることができる。
【００３１】
また、本実施の形態のＬＥＤ照明式看板装置１では、ＬＥＤ装置３と取付部４を用いてＬＥＤ１００を左右壁２３、２４に設置した。これにより、４つの距離ｄを同じ距離に設定するには、（ｂ）に示すように取付部４の傾斜部４１、４１の傾斜角度αを同じ角度にするか、傾斜部４１、４１の高さＨを同じ高さに設定すれば良い。よって、本実施の形態のＬＥＤ照明式看板装置１は、ＬＥＤ１００の個数を減らしても簡単な方法で光ムラを抑えることができる。
【００３２】
ここで、一例を挙げておくと、１ｍ角の箱型看板２の場合には、傾斜部４１、４１の高さＨが２０ｍｍ、傾斜角度αが３０度〜１５度、頂部の開き角度βが１２０度〜１５０度である。なお、（ｃ）に示すようにＬＥＤ装置３の照射角度γは１２０度に設定される。
【００３３】
また、取付部４にはＬＥＤ装置３を着脱可能に固定する装着部５を設けたことにより、ＬＥＤ装置３を容易に交換することが可能になる。よって、本実施の形態のＬＥＤ照明式看板装置１は、ＬＥＤ１００の交換作業性を向上させることができる。なお、装着部５の構成は本実施の形態で説明した構成に限定しなくても良く、ＬＥＤ装置３を着脱可能に取付部４に固定するような構成であれば良い。
【００３４】
以上、本件発明にかかる実施の形態を例示したが、これらの実施の形態は本件発明の内容を限定するものではない。また、本件発明の請求項の範囲を逸脱しない範囲であれば、各種の変更等は可能である。
【００３５】
例えば、本実施の形態では、箱型看板２の左右壁２３、２４の内面２３ａ、２４ａの上下方向に４本のＬＥＤ装置３を設けたが、４本のＬＥＤ装置３を箱型看板２の上下壁（図示せず）の内面の左右方向に設けても良い。また、ＬＥＤ装置３の使用本数は、前壁２１側または後壁２２側で対向するＬＥＤ装置３の本数を同じ本数に設定すれば、本実施の形態のように４本に限定しなくても良い。
【産業上の利用可能性】
【００３６】
以上説明したように本件発明のＬＥＤ照明式看板装置は、ＬＥＤの個数を減らしても光ムラを抑えることができる。したがって、本件発明のＬＥＤ照明式看板装置を、ＬＥＤ照明式看板装置の技術分野で十分に利用することができる。
【符号の説明】
【００３７】
１    照明式看板装置
２    箱型看板
３    ＬＥＤ装置
４    取付部
５    装着部
２１    前壁
２１ａ    内面
２１ｐ    中間位置
２２    後壁
２２ａ    内面
２２ｐ    中間位置
２３    右壁
２３ａ    内面
２４    左壁
２４ａ    内面
３１    保持部
４１    傾斜部
ｄ      距離
【図１】
2011227352.tif 000003
【図２】
2011227352.tif 000004
【図３】
2011227352.tif 000005
【図４】
2011227352.tif 000006
【図５】
2011227352.tif 000007
【図６】
2011227352.tif 000008
【図７】
2011227352.tif 000009
【図８】
2011227352.tif 000010